(57)【要約】【課題】全ての端子を一括して抜き取れる、解体性に優れたコネクタを提供すること。【解決手段】複数の端子収容室２を有するハウジング本体１と、ハウジング本体１の上壁１ａに形成された開口部４と、開口部４に着脱自在に組み付けられる係止部材１０と、係止部材１０の内面に設けられたランス１２と、を具備する。係止部材１０は、ハウジング本体にヒンジ１３で回動自在に連結されている。ヒンジ１３は、ランスの根元部１４側の係止部材１０の部分に設けられている。ハウジング本体１には、端子からランス１２に加わる荷重を受け止める補強壁５が設けられている。【選択図】図１
2008130511.tif 000002
【特許請求の範囲】
【請求項１】
ハウジング本体と、
複数の端子をそれぞれ受け入れるために前記ハウジング本体内に形成され、且つ前記端子の挿入方向と直交する方向に配列された複数の端子収容室と、
前記ハウジング本体の外周壁のうち、前記複数の端子収容室を画成する共通の壁板に形成され、前記複数の端子収容室の内部を一括して外部に露出する開口部と、
前記開口部に着脱自在に組み付けられる係止部材と、
前記端子収容室の数に対応した数だけ前記係止部材に片持ち状に形成され、該係止部材が前記開口部に組み付けられることで前記複数の端子収容室の内部にそれぞれ進入し、その状態で前記複数の端子収容室に前記端子がそれぞれ挿入されたとき、当該端子の挿入に応じて撓み変形し弾性復帰することで前記端子をそれぞれ抜け止め係止する複数の、可撓性を有したランスと、
を具備することを特徴とするコネクタ。
【請求項２】
前記係止部材が前記ハウジング本体にヒンジで連結されており、
当該係止部材が、
前記ヒンジを支点にして、
前記開口部を塞いで前記ランスを前記端子収容室の内部に進入させる位置と、前記開口部を開放して前記ランスを前記端子収容室の外部に引き出す位置との間で、回動自在に設けられていることを特徴とする請求項１に記載したコネクタ。
【請求項３】
前記ヒンジが、前記ランスの根元部側にある前記係止部材の部分に設けられており、
前記係止部材が前記開口部を塞いだ状態で前記ランスの根元部に当接することにより、前記端子からの前記ランスに加わる荷重を受け止める補強壁が前記ハウジング本体に設けられていることを特徴とする請求項２に記載したコネクタ。
【請求項４】
前記係止部材が前記ハウジング本体と別体に形成されており、
前記係止部材が、
前記開口部の辺縁部をガイドにして、
前記開口部を塞いで前記ランスを前記端子収容室の内部に進入させる位置と、前記開口部を開放して前記ランスを前記端子収容室の外部に引き出す位置との間で、前記端子収容室の配列方向に沿ってスライド自在に設けられていることを特徴とする請求項１に記載したコネクタ。
【請求項５】
前記開口部の辺縁部と前記係止部材の側縁部の一方にガイド溝、そして他方にガイド突起が設けられ、
前記ガイド溝に前記ガイド突起を嵌めることで、前記係止部材が前記開口部に対して当該開口部の辺縁部をガイドにしてスライド自在とされており、
前記係止部材が前記開口部を塞いだ状態で前記ランスの根元部に当接することにより、前記端子からの前記ランスに加わる荷重を受け止める補強壁が前記ハウジング本体に設けられていることを特徴とする請求項４に記載したコネクタ。
【発明の詳細な説明】
【技術分野】
【０００１】
本発明は、解体時の端子の抜き取りが容易なコネクタに関するものである。
【背景技術】
【０００２】
従来のコネクタでは、一般に端子は、各端子収容室毎に設けられているランスで抜け止め係止されている（特許文献１参照）。即ち、図５（ａ）および（ｂ）に例示されるように、ハウジング本体１５０には、各端子収容室１５２毎に可撓性を有したランス１６１が設けられており、後方から端子１６４を挿入すると、挿入に応じてランス１６１が一旦撓んで弾性復帰し、端子１６４の段部にランス１６１の係止端が係合することにより、端子１６４の後方への抜けを阻止している。
【０００３】
このようにランス１６１で端子１６４を係止する場合、端子１６４を定位置まで挿入した際に、ランス１６１の弾性復帰による節度感が得られるので、端子１６４の組み付けが良好に行なわれたか否かを、手や指の感触で作業者が確認できるメリットがある。
【０００４】
また、図５（ａ）および（ｂ）に例示されるように、ランス１６１の他に、端子１６４を係止するためのリテーナ１６２を設けることもある。リテーナ１６２は、各端子１６４を全て組み付けた後で、ハウジング本体１５０に形成した開口部１６６に装着されるようになっており、ヒンジ１６５を介してハウジング本体１５０に回動自在に連結されている。全ての端子１６４の挿入後に、リテーナ１６２を開口部１６６に装着すると、リテーナ１６２の係止部１６７が全ての端子１６４に係合することで、端子１６４を二重係止する。従って、端子１６４の保持を一層確実化することができる。
【０００５】
【特許文献１】特開２００２−１８４５０６号公報
【発明の開示】
【発明が解決しようとする課題】
【０００６】
ところで、近年の環境に対する意識の高まりにより、金属製の端子と樹脂製のコネクタハウジングを容易に解体できるコネクタが求められるようになってきた。
【０００７】
この点、図５（ａ）および（ｂ）に示されるコネクタを解体する場合は、まず、リテーナ１６２を解放した上で、抜き治具を用いて、各端子収容室１５２毎にランス１６１と端子１６４の係止解除を行なわなければならない。従って、各端子収容室１５２毎の作業となるため、全ての端子１６４を抜く作業は、面倒で時間がかかるものであった。
【０００８】
本発明は、上述した事情に鑑みてなされたものであり、その目的は、全ての端子を一括して抜き取れるようにした、解体性に優れたコネクタを提供することにある。
【課題を解決するための手段】
【０００９】
前述した目的を達成するため、本発明に係るコネクタは、下記（１）〜（５）を特徴としている。
（１）  ハウジング本体と、
複数の端子をそれぞれ受け入れるために前記ハウジング本体内に形成され、且つ前記端子の挿入方向と直交する方向に配列された複数の端子収容室と、
前記ハウジング本体の外周壁のうち、前記複数の端子収容室を画成する共通の壁板に形成され、前記複数の端子収容室の内部を一括して外部に露出する開口部と、
前記開口部に着脱自在に組み付けられる係止部材と、
前記端子収容室の数に対応した数だけ前記係止部材に片持ち状に形成され、該係止部材が前記開口部に組み付けられることで前記複数の端子収容室の内部にそれぞれ進入し、その状態で前記複数の端子収容室に前記端子がそれぞれ挿入されたとき、当該端子の挿入に応じて撓み変形し弾性復帰することで前記端子をそれぞれ抜け止め係止する複数の、可撓性を有したランスと、
を具備すること。
（２）  上記（１）の構成のコネクタにおいて、
前記係止部材が前記ハウジング本体にヒンジで連結されており、
当該係止部材が、
前記ヒンジを支点にして、
前記開口部を塞いで前記ランスを前記端子収容室の内部に進入させる位置と、前記開口部を開放して前記ランスを前記端子収容室の外部に引き出す位置との間で、回動自在に設けられていること。
（３）  上記（２）の構成のコネクタにおいて、
前記ヒンジが、前記ランスの根元部側にある前記係止部材の部分に設けられており、
前記係止部材が前記開口部を塞いだ状態で前記ランスの根元部に当接することにより、前記端子からの前記ランスに加わる荷重を受け止める補強壁が前記ハウジング本体に設けられていること。
（４）  上記（１）の構成のコネクタにおいて、
前記係止部材が前記ハウジング本体と別体に形成されており、
前記係止部材が、
前記開口部の辺縁部をガイドにして、
前記開口部を塞いで前記ランスを前記端子収容室の内部に進入させる位置と、前記開口部を開放して前記ランスを前記端子収容室の外部に引き出す位置との間で、前記端子収容室の配列方向に沿ってスライド自在に設けられていること。
（５）  上記（４）の構成のコネクタにおいて、
前記開口部の辺縁部と前記係止部材の側縁部の一方にガイド溝、そして他方にガイド突起が設けられ、
前記ガイド溝に前記ガイド突起を嵌めることで、前記係止部材が前記開口部に対して当該開口部の辺縁部をガイドにしてスライド自在とされており、
前記係止部材が前記開口部を塞いだ状態で前記ランスの根元部に当接することにより、前記端子からの前記ランスに加わる荷重を受け止める補強壁が前記ハウジング本体に設けられていること。
【００１０】
上記（１）の構成のコネクタによれば、係止部材をハウジング本体に形成した開口部に組み付け、その状態で各端子収容室に端子を挿入すると、ランスの作用によって端子を抜け止め係止することができる。次に解体時は、係止部材を開口部から取り外す。そうすると、全てのランスが一括して端子収容室から引き出されるので、全ての端子の係止が外れる。従って、上記（１）の構成のコネクタによれば、各端子収容室毎に抜き治具をいちいち差し込んでランスの係止を外すような面倒な操作を行なわずに、係止部材を組み付け位置から移動させるだけで、全てのランスを一括して係止位置から外すことができ、全ての端子をまとめて抜くことができる。そのため、スムーズな解体が可能であり、解体のための時間がかからなくなる。
上記（２）の構成のコネクタによれば、係止部材をハウジング本体にヒンジで連結しているので、係止部材を回動させるだけで、ランスを端子収容室に進入させたり、端子収容室から引き出したりすることができ、部品点数を増やさずに、解体性を良くすることができる。
上記（３）の構成のコネクタによれば、組み込んだ端子に電線から引き抜き荷重が作用した場合、ランスの根元部にその荷重が加わるが、ハウジング本体に設けた補強壁によってその荷重を受け止めることができるので、端子保持力を高めることができる。
上記（４）の構成のコネクタによれば、係止部材をスライドさせるだけで、ランスを端子収容室に進入させたり、端子収容室から引き出したりすることができる。この場合、係止部材のスライド方向が端子収容室の配列方向と直交する方向であるから、ランスを介して係止部材に作用する端子の引き抜き荷重を、ハウジング本体の開口部の辺縁部で受け止めることができる。この辺縁部は、係止部材がスライドするガイド部分でもあるから、前記ヒンジ方式よりも確実に端子の引き抜き荷重を受け止めることができ、安定した端子保持力を発揮することができる。
上記（５）の構成のコネクタによれば、ガイド溝にガイド突起を嵌めることで、スムーズに係止部材をスライドさせることができる。また、上記（５）の構成のコネクタによれば、組み込んだ端子に電線から引き抜き荷重が作用した場合、ランスの根元部にその荷重が加わるが、ハウジング本体に設けた補強壁によってその荷重を受け止めることができるので、端子保持力を高めることができる。
【発明の効果】
【００１１】
本発明によれば、全ての端子を一括して抜き取れるようにした、解体性に優れたコネクタを提供できる。
【００１２】
以上、本発明について簡潔に説明した。更に、以下に説明される発明を実施するための最良の形態を添付の図面を参照して通読することにより、本発明の詳細は更に明確化されるであろう。
【発明を実施するための最良の形態】
【００１３】
以下、本発明に係る好適な実施形態を図面に基づいて詳細に説明する。
【００１４】
《第１実施形態》
図１および図２は第１実施形態の説明図であって、図１（ａ）は端子を組み付ける前の状態のコネクタの斜視図、図１（ｂ）は図１（ａ）のＩｂ−Ｉｂ矢視断面図、図２（ａ）は係止部材を閉じた上で１本の端子を挿入した状態を示す斜視図、そして図２（ｂ）は図２（ａ）のＩＩｂ−ＩＩｂ矢視断面図である。
【００１５】
このコネクタは、雌型の導電金属製端子５０の挿入方向（コネクタの後から前の方向）と直交する方向（コネクタの左右方向）に一列に配列された複数（５つ）の端子収容室２を有する長方形箱形の合成樹脂製ハウジング本体１と、ハウジング本体１の外周壁のうち、複数の端子収容室２を画成する共通の壁板である上壁１ａに形成され、複数の端子収容室２の内部を部分的に外部に露出する矩形の開口部４と、この開口部４に着脱自在に組み付けられる合成樹脂製の係止部材１０と、端子収容室２の数に対応してそれと同じ数だけ係止部材１０の矩形状のカバー壁１１の内面に片持ち状に一体形成され、係止部材１０が開口部４に組み付けられることで複数の端子収容室２の内部にそれぞれ進入し、その状態で複数の端子収容室２に電線Ｗ付きの端子５０がそれぞれ挿入されたとき、端子５０の挿入に応じて撓み変形し弾性復帰して、自由端部にある係止端１２ａが端子５０の段部５１に係合することにより端子５０をそれぞれ抜け止め係止する複数の、可撓性を有したランス１２と、を具備している。
【００１６】
端子収容室２は、後端に端子挿入口２ａを有し、前端に相手方（雄型）端子差込口２ｂを有しており、後端の端子挿入口２ａから端子５０を挿入できるようになっている。
【００１７】
係止部材１０は、開口部４を塞ぐカバー壁１１と、カバー壁１１の内面に配された複数のランス１２と、カバー壁１１との間に確保されたランス１２の撓み許容空間１８とを有している。ランス１２は、その根元部１４がカバー壁１１に一体化されている。係止部材１０は、ランス１２の根元部１４側にあるカバー壁１１の後端部（端縁）で、合成樹脂製の薄肉のヒンジ１３によりハウジング本体１に一体に連結されている。そして係止部材１０は、ヒンジ１３を支点にして、図２（ａ）および（ｂ）に示すように、開口部４を塞いでランス１２を端子収容室２の内部に進入させる位置と、図１（ａ）および（ｂ）に示すように、開口部４を開放してランス１２を端子収容室２の外部に引き出す位置との間で、回動自在に設けられている。また、カバー壁１１のヒンジ１３と反対側の端縁と、それに対応した開口部４の辺縁部には、係止部材１０で開口部４を塞いだ状態で係止部材１０をロックするためのロック機構１６、６が設けられている。
【００１８】
また、前述したようにヒンジ１３はランス１２の根元部１４側に設けられており、ハウジング本体１には、係止部材１０が開口部４を塞いだ状態でランス１２の根元部１４の端壁１４ａに当接することにより、端子５０からのランス１２に加わる荷重を受け止める補強壁５が設けられている。
【００１９】
このコネクタを組み立てる場合は、図２（ａ）および（ｂ）に示すように、係止部材１０をハウジング本体１の上壁１ａに形成した開口部４に組み付け、その状態で端子収容室２に端子５０をそれぞれ挿入すると、ランス１２の係止端１２ａが端子５０の段部５１に係合することによって、端子５０がそれぞれ抜け止め係止される。
【００２０】
次にコネクタを解体する時は、ロック機構１６、６によるロックを解除した後、ヒンジ１３を回動中心にして係止部材１０を開口部４から取り外す。そうすると、全てのランス１２が一括して端子収容室２から引き出されるので、全ての端子５０の係止が外れる。従って、各端子収容室２毎に抜き治具をいちいち差し込んでランス１２の係止を外すような面倒な操作を行なわずに、係止部材１０を組み付け位置から移動（即ち、回動）させるだけで、全てのランス１２を一括して係止位置から外すことができ、全ての端子５０をまとめて抜くことができる。そのため、スムーズな解体ができるようになり、解体のための時間がかからなくなって、資源のリサイクルをしやすくなる。
【００２１】
特に、この実施形態のコネクタでは、係止部材１０をハウジング本体１にヒンジ１３で連結しているので、係止部材１０を回動させるだけで、ランス１２を端子収容室２に進入させたり、端子収容室２から引き出したりすることができ、部品点数を増やさずに、解体性を良くすることができる。
【００２２】
また、組み込んだ端子５０に電線Ｗから引き抜き荷重が作用した場合、ランス１２の根元部１４にその荷重が加わるが、ハウジング本体１に設けた補強壁５によってその荷重を受け止めることができるので、端子保持力を高めることができる。
【００２３】
《第２実施形態》
図３および図４は第２実施形態の説明図であって、図３は端子を組み付ける前の状態のコネクタの斜視図、図４（ａ）は係止部材を閉じた上で１本の端子を挿入した状態を示す斜視図、そした図４（ｂ）は図４（ａ）のＩＶｂ−ＩＶｂ矢視断面図である。
【００２４】
上記の第１実施形態は係止部材１０がヒンジ１３でハウジング本体１に回動自在に連結された例であったが、この第２実施形態のコネクタでは、合成樹脂製の係止部材４０が合成樹脂製のハウジング本体２１と別体に形成されている。より詳細には、係止部材４０は、ハウジング本体２１の上壁２１ａに形成した矩形の開口部２４の互いに平行な対向辺縁部をガイドにして、開口部２４を塞いでランス４２を端子収容室２の内部にそれぞれ進入させる位置と、開口部２４を開放してランス４２を端子収容室２の外部に引き出す位置との間で、端子収容室２の配列方向に沿ってスライド自在に設けられている。
【００２５】
係止部材４０は、開口部２４を塞ぐ矩形状のカバー壁４１と、カバー壁４１の内面に片持ち状に一体形成された複数のランス４２と、カバー壁４１との間に確保されたランス４２の撓み許容空間４８とを有している。ランス４２は、その根元部４４がカバー壁４１に一体化され、自由端部に係止端４２ａが形成されている。ハウジング本体２１の開口部２４は、上面から側面まで連続して設けられており、係止部材４０には、側面の開口部２４ｂを塞ぐ側部カバー壁４１ｂが一体に設けられている。また、係止部材４０の上面端部には、スライドさせるときに指を当てる指当て部４７が突設されている。
【００２６】
係止部材４０のガイドをなす開口部２４の対向辺縁部は、端子収容室２の配列方向と平行に形成されている。それら開口部２４の対向辺縁部にはガイド溝２５、そして係止部材４０の両側縁部にはガイド突起４５が設けられている。（ただし、これは、開口部２４の辺縁部と係止部材４０の側縁部の一方にガイド溝２５、そして他方にガイド突起４５が設けられていればよい。）そして、ガイド溝２５にガイド突起４５を嵌めることで、係止部材４０が開口部２４に対して、当該開口部２４の辺縁部をガイドにしてスライド自在とされている。また、ハウジング本体２１には、係止部材４０が開口部２４を塞いだ状態でランス４２の根元部４４の端面４４ａに当接することにより、端子５０からのランス４２に加わる荷重を受け止める補強壁５ａが設けられている。
【００２７】
このコネクタを組み立てる場合は、図４（ａ）および（ｂ）に示すように、係止部材４０をハウジング本体２１の上壁２１ａに形成した開口部２４を塞ぐ位置までスライドさせ、その状態で端子収容室２に端子５０をそれぞれ挿入すると、ランス４２の係止端４２ａが端子５０の段部５１に係合することによって、端子５０がそれぞれ抜け止め係止される。
【００２８】
次にコネクタを解体する時は、指当て部４７を押すことにより係止部材４０を開口部２４からスライドさせて取り外す。そうすると、全てのランス４２が一括して端子収容室２から引き出されるので、全ての端子５０の係止が外れる。従って、各端子収容室２毎に抜き治具をいちいち差し込んでランス４２の係止を外すような面倒な操作を行なわずに、係止部材４０を組み付け位置から移動させるだけで、全てのランス４２を一括して係止位置から外すことができ、全ての端子５０をまとめて抜くことができる。そのため、スムーズな解体ができるようになり、解体のための時間がかからなくなって、資源のリサイクルがしやすくなる。
【００２９】
特に、このコネクタでは、係止部材４０をスライドさせるだけで、ランス４２を端子収容室２に進入させたり端子収容室２から引き出したりすることができ、係止部材４０のスライド方向が端子収容室２の配列方向と直交する方向であるから、ランス４２を介して係止部材４０に作用する端子５０の引き抜き荷重を、ハウジング本体２１の開口部２４の辺縁部で受け止めることができる。この辺縁部は、係止部材４０がスライドするガイド部分でもあるから、第１実施形態のヒンジ方式のコネクタよりも、確実に端子５０の引き抜き荷重を受け止めることができ、安定した端子保持力を発揮することができる。
【００３０】
また、ガイド溝２５にガイド突起４５を嵌めることで、スムーズに係止部材４０をスライドさせることができる上、組み込んだ端子５０に電線Ｗから引き抜き荷重が作用した場合には、ランス４２の根元部４４にその荷重が加わるが、ハウジング本体２１に設けた補強壁５ａによってその荷重を受け止めることができるので、端子保持力を高めることができる。
【００３１】
尚、本発明は、上述した実施形態に限定されるものではなく、適宜、変形、改良、等が可能である。その他、上述した実施形態における各構成要素の材質、形状、寸法、数、配置箇所、等は本発明を達成できるものであれば任意であり、限定されない。
【図面の簡単な説明】
【００３２】
【図１】本発明の第１実施形態の説明図であって、図１（ａ）は端子を組み付ける前の状態のコネクタの斜視図、そして図１（ｂ）は図１（ａ）のＩｂ−Ｉｂ矢視断面図である。
【図２】図２（ａ）は係止部材を閉じた上で１本の端子を挿入した状態を示す斜視図、そして図２（ｂ）は図２（ａ）のＩＩｂ−ＩＩｂ矢視断面図である。
【図３】本発明の第２実施形態の説明図であって、端子を組み付ける前の状態のコネクタの斜視図である。
【図４】図４（ａ）は係止部材を閉じた上で１本の端子を挿入した状態を示す斜視図、そして図４（ｂ）は図４（ａ）のＩＶｂ−ＩＶｂ矢視断面図である。
【図５】従来のコネクタの例を示し、図５（ａ）は端子を挿入する前の状態を示す側断面図、そして図５（ｂ）は端子を挿入してリテーナで抜け止めした状態を示す側断面図である。
【符号の説明】
【００３３】
１，２１：ハウジング本体
１ａ，２１ａ：上壁（共通の壁板）
２：端子収容室
４，２４：開口部
５，５ａ：補強壁
１０，４０：係止部材
１２，４２：ランス
１３：ヒンジ
１４，４４：ランスの根元部
２５：ガイド溝
４５：ガイド突起
５０：端子
【図１】
2008130511.tif 000003
【図２】
2008130511.tif 000004
【図３】
2008130511.tif 000005
【図４】
2008130511.tif 000006
【図５】
2008130511.tif 000007